(57)【要約】  【目的】  袋の開封によるスライダの損傷や目詰りによるファスナの故障を防止するためのスライダタイプのファスナ付き包装袋を提供する。  【構成】  袋本体（１）の開口部に取付けたファスナ（５）の開放位置側の隔壁仕切りシート（１０）の端部を袋本体（１）の表面側シート（２）と背面側シート（３）と共にヒートシールすることによりファスナ（５）の開放位置側の袋本体（１）の端部に袋本体（１）の開口部の一部を閉塞するヒートシール部（１３）を設けたものである。【選択図】    図１
2006290404.tif 000002
【特許請求の範囲】
【請求項１】
袋本体の開口部に取付けたファスナの開放位置側の隔壁仕切りシートの端部を袋本体の表面側シートと背面側シートと共にヒートシールすることによりファスナの開放位置側の袋本体の端部に袋本体の開口部の一部を閉塞するヒートシール部を設けたことを特徴とするスライダタイプのファスナ付き包装袋。
【発明の詳細な説明】
【技術分野】
【０００１】
本発明は袋本体の開口部にスライダにより開閉可能なファスナを備えたスライダタイプのファスナ付き包装袋に関するものである。
【背景技術】
【０００２】
従来、この種のスライダタイプのファスナ付き包装袋はスライダにより互いに係脱するファスナの雌トラックと雄トラックとを中心で折畳んだＶ字形のプラスチック製の隔壁仕切りシートの上端に取付け、隔壁仕切りシートの両側端部を袋本体の表面側シートと背面側シートの両側端部と共にヒートシールし、更にファスナの雌トラックを取付けた隔壁仕切りシートを袋本体の表面側シートの上端部にヒートシールすることによりスライダ付きファスナを袋本体の開口部に取付け、ファスナの雄トラックを取付けた隔壁仕切りシートと袋本体の背面側シートとの間に袋の内容物の充填口を形成し、内容物を袋本体に充填したあとにファスナの雄トラックを取付けた隔壁仕切りシートと袋本体の背面側シートの上端部にヒートシールすることにより袋の充填口を密封するようにしてある（特表２０００−５４４０６５号公報参照）。袋の内容物を取り出すためには、スライダを袋の開口部の一端に位置する閉鎖位置から他端に位置する開放位置までファスナに沿って移動させることにより袋の開口部を開放させ、その後Ｖ字形の隔壁仕切りシートの下端を破断させることにより袋を開封させ、袋の内容物を取り出すことができるようになっている。
【０００３】
【特許文献１】特表２００２−５４４０６５号公報
【発明の開示】
【発明が解決しようとする課題】
【０００４】
上述した従来技術のスライダタイプのファスナ付き包装袋はスライダを閉鎖位置から開放位置まで移動させ、Ｖ字形の隔壁仕切りシートの下端を破断させることにより袋を開封できるようになっているが、手でＶ字形の隔壁仕切りシートを破断させる際に開放位置に位置しているスライダがファスナから外れて上方に飛び跳ね人の目等を直撃するおそれがあり、又ファスナの雌トラックの溝に粉末状又は顆粒状物品が入り、ファスナの雌トラックの溝と雄トラックの突起との嵌合が外れてファスナの開放位置の端部まで開口してしまった場合に、もはや雌トラックの溝と雄トラックの突起とが嵌合できなくなり、スライダを閉鎖位置に移動させても袋を閉鎖できず、ファスナが使用不能となる欠点がある。
【０００５】
本発明の目的は袋の開封によるスライダの損傷や目詰まりによるファスナの故障を防止する安全で確実に作動するスライダタイプのファスナ付き包装袋を提供するものである。
【課題を解決するための手段】
【０００６】
本発明によるスライダタイプのファスナ付き包装袋は袋本体の開口部に取付けたファスナの開放位置側の隔壁仕切りシートの端部を袋本体の表面側シートと背面側シートと共にヒートシールすることによりファスナの開放位置側の端部に袋本体の開口部の一部を閉塞するヒートシール部を設けたものである。
【発明の効果】
【０００７】
本発明は上述した構成であるから、袋の開封時にスライダがファスナから外れることがなく、上方に飛び跳ねて人の目等に直撃することもなく安全であり、又雌トラックの溝と雄トラックの突起との嵌合が外れてファスナの開放位置まで開口したとしてもファスナの開放位置の端部まで開口するのを阻止し、ファスナの雌トラックと雄トラックとの嵌合状態を維持できるので、ファスナが使用不能となることがなく、長期間にわたって開閉作用を行うことができる。
【発明を実施するための最良の形態】
【０００８】
図において符号１はプラスチック製シートの袋本体を示し、袋本体１は表面側シート２と背面側シート３とを有し、その開口部にはスライダ４により開閉可能なファスナ５を取付けてある。ファスナ５は図４に示したようにスライダ４により互いに係脱する溝６を有する雌トラック７と突起８を有する雄トラック９とから構成され、ファスナ５の雌トラック７を中央部で折畳んだプラスチック製シートからなるＶ字形の隔壁仕切りシート１０の一方の隔壁１１の上端に取付け、ファスナ５の雄トラック９を隔壁仕切りシート１０の他方の隔壁１２の上端に取付けてある。隔壁仕切りシート１０のＶ字形の下端には手で容易に切断できるように薄肉破断部を形成してある。
【０００９】
溝６を有する雌トラック７と突起８を有する雄トラック９とからなるファスナ５にはスライダ４が備えられ、ファスナ５に沿ってスライダ４を図１に実線で示した閉鎖位置から図１に二点鎖線で示した開放位置に又は二点鎖線の開放位置から実線の閉鎖位置に移動させることによりファスナ５を開閉させることができる。
【００１０】
ファスナ５を有するＶ字形の隔壁仕切りシート１０の両側端部を袋本体１の表面側シート２と背面側シート３の両側端部と共にヒートシールし、袋本体１の表面側シート２の上端を雌トラック７を有する隔壁仕切りシート１０の隔壁１１の上端部にヒートシールすることにより、スライダ４を備えたファスナ５を袋本体１の開口部に取付けると共に袋本体１の背面側シート３と隔壁仕切りシート１０の隔壁１２との間に内容物の充填口を形成してある。従って、その充填口から内容物を袋本体１内に充填した後に、袋本体１の背面側シート３の上端と隔壁仕切りシート１０の隔壁１２の上端部とをヒートシールすることにより袋本体１を密封させることができる。
【００１１】
袋本体１の開口部に取付けたファスナ５の開放位置側の袋本体１の端部には袋本体１の開口部の一部を閉塞するヒートシール部１３を備えてあり、該ヒートシール部１３はファスナ５の開放位置側の隔壁仕切りシート１０の両隔壁１１，１２の一部分と、表面側シート２の一部分と、背面側シート３の一部分とをヒートシールすることにより形成してある。ヒートシール部１３は好ましくはファスナ５の開放位置側の端縁から開放位置に位置付けされたスライダ４の長さまでの範囲であり、特にスライダ４の１／３以上の長さが望ましく、スライダ４を越えた位置までヒートシール部１３を長くさせることもできるが、その場合には袋本体１の開口部が小さくなる。更にヒートシール部１３は図１に示したように台形に形成してあるが、三角形、長方形又は正方形の形状に形成することもできる。
【００１２】
符号１４は袋本体１の開口部に備えたファスナ５の両側端縁に取付けたスライダ４を開放位置と閉鎖位置とに停止させるためのストッパを示す。本発明においては袋本体１内の内容物を取り出すために手でＶ字形の隔壁仕切りシート１０の下端を切断する場合に、開放位置に位置しているスライダ４の下側にヒートシール部１３を設けてあるので、該ヒートシール部１３が手で隔壁仕切りシート１０を切り裂く力を受けるため、スライダ４がファスナ５から外れることはない。加えて、スライダ４を開放位置に移動させてファスナ５を開放したとしても、スライダ４の１／３まではファスナ５の雌トラック７の溝６と雄トラック９の突起８とが係合した状態になっており、スライダ４が閉鎖位置に位置決めされている際にファスナ５の雌トラック７の溝６と雄トラック９の突起８との嵌合が外れてファスナ５の開放位置まで開口しても、ファスナ５の開放位置の下側に設けたヒートシール部１３がファスナ５の開放位置の端部まで開口してしまうのを阻止し、ファスナ５雌トラック７と雄トラック９との嵌合状態を保持するので、ファスナ５が使用不能となることがない。
【図面の簡単な説明】
【００１３】
【図１】本発明による包装袋の一部を切欠して示した正面図である。
【図２】本発明による包装袋の一部を断面で示した平面図である。
【図３】本発明による包装袋の一部を断面で示した図２の拡大平面図である。
【図４】本発明による包装袋の一部を切欠して示した斜視図である。
【符号の説明】
【００１４】
１      袋本体
２      表面側シート
３      背面側シート
４      スライダ
５      ファスナ
６      溝
７      雌トラック
８      突起
９      雄トラック
１０    Ｖ字形の隔壁仕切りシート
１１    隔壁
１２    隔壁
１３    ヒートシール部
１４    ストッパ
【図１】
2006290404.tif 000003
【図２】
2006290404.tif 000004
【図３】
2006290404.tif 000005
【図４】
2006290404.tif 000006